(57)【要約】【課題】組み立てが容易で破損し難く、スタイルも多様に変化でき且つ水中からの回収も容易なダイビングフェイスマスクを提供する。【解決手段】ダイビングフェイスマスク３は、本体３１、少なくとも１つのレンズ３２、少なくとも１つの弾性フレーム枠３３を具備し、そのうち本体３１は、少なくとも１つのフレーム３１１を具備し、前記少なくとも１つのレンズ３２は前記少なくとも１つのフレーム３１１の中の対応する場所に設けられる。前記少なくとも１つの弾性フレーム枠３３は、前記少なくとも１つのレンズ３２の周囲に着脱可能に固定され、衝撃力を吸収してダイビングフェイスマスク３を保護し、並びにダイビングフェイスマスク３を水面に浮かばせるのに適している。【選択図】図３
0003145031.tif 000002
【実用新案登録請求の範囲】
【請求項１】
本体、少なくとも１つのレンズ、少なくとも１つの弾性フレーム枠を具備するダイビングフェイスマスクであって、
前記本体は、少なくとも１つのフレームを具備し、
前記少なくとも１つのレンズは、前記少なくとも１つのフレームの中の対応する場所に設けられ、
前記少なくとも１つの弾性フレーム枠は、前記少なくとも１つのレンズの周囲に着脱可能に周設することができる
ことを特徴とするダイビングフェイスマスク。
【請求項２】
前記本体は２つのフレームを具備し、且つ前記ダイビングフェイスマスクは２つのレンズと１つの弾性フレーム枠を具備し、各々のレンズは各々のフレームの中の対応する場所に設けられ、
前記弾性フレーム枠は、前記各々のレンズの周囲に一体となって着脱可能に周設することができることを特徴とする請求項１に記載のダイビングフェイスマスク。
【請求項３】
前記弾性フレーム枠の密度は１g/cm3より小さく、且つ前記ダイビングフェイスマスクの平均密度は１g/cm3より小さいことを特徴とする請求項２に記載のダイビングフェイスマスク。
【請求項４】
前記弾性フレーム枠の前記密度は、0.3乃至0.93g/cm3であることを特徴とする請求項３に記載のダイビングフェイスマスク。
【請求項５】
前記弾性フレーム枠は膨張体を具備し、充填剤の注入に適していることを特徴とする請求項４に記載のダイビングフェイスマスク。
【請求項６】
前記弾性フレーム枠は充填口を具備し、該充填口を経由して前記充填剤を前記膨張体に注入するのに適していることを特徴とする請求項５に記載のダイビングフェイスマスク。
【請求項７】
前記充填剤の材料は、気体、液体、発泡材及びその組み合わせからなることを特徴とする請求項５に記載のダイビングフェイスマスク。
【請求項８】
前記弾性フレーム枠は、高分子材料で製造されたものであることを特徴とする請求項４に記載のダイビングフェイスマスク。
【請求項９】
前記高分子材料は、発泡材、ゴム、エチレン酢酸ビニル（Ethylene-vinyl acetate, EVA）及びその組み合わせからなることを特徴とする請求項８に記載のダイビングフェイスマスク。
【請求項１０】
前記フレームは第１凹部を具備し、前記レンズの配置に適していることを特徴とする請求項１に記載のダイビングフェイスマスク。
【請求項１１】
前記弾性フレーム枠は、２つの第２凹部を具備し、前記フレームの各々と着脱可能に固定するのに適していることを特徴とする請求項１に記載のダイビングフェイスマスク。
【請求項１２】
前記少なくとも１つのレンズは、前記本体にモールド形成されたものであることを特徴とする請求項１に記載のダイビングフェイスマスク。
【請求項１３】
前記本体上に設置された少なくとも１つのヘッドバンドを具備することを特徴とする請求項１に記載のダイビングフェイスマスク。
【請求項１４】
本体、少なくとも１つのレンズ、少なくとも１つの弾性フレーム枠を具備するダイビングフェイスマスクであって、
前記本体は、少なくとも１つのフレームを具備し、
前記少なくとも１つのレンズは、前記少なくとも１つのフレームの中の対応する場所に設けられ、
前記少なくとも１つの弾性フレーム枠は、前記少なくとも１つのレンズの周囲に固定され、
そのうち前記弾性フレーム枠の密度は、１g/cm3より小さく、且つ前記ダイビングフェイスマスクの平均密度は１g/cm3より小さいことを特徴とするダイビングフェイスマスク。
【請求項１５】
前記本体は２つのフレームを具備し、 且つ前記ダイビングフェイスマスクは２つのレンズと１つの弾性フレーム枠を具備し、各々のレンズは各々のフレームの中の対応する場所に設けられ、
前記弾性フレーム枠は、前記各々のレンズの周囲に一体となって着脱可能に周設することができることを特徴とする請求項１４に記載のダイビングフェイスマスク。
【請求項１６】
前記弾性フレーム枠の前記密度は、0.3乃至0.93g/cm3であることを特徴とする請求項１５に記載のダイビングフェイスマスク。
【請求項１７】
前記弾性フレーム枠は膨張体を具備し、充填剤の注入に適していることを特徴とする請求項１６に記載のダイビングフェイスマスク。
【請求項１８】
前記弾性フレーム枠は充填口を具備し、該充填口を経由して前記充填剤を前記膨張体に注入するのに適していることを特徴とする請求項１７に記載のダイビングフェイスマスク。
【請求項１９】
前記充填剤の材料は、気体、液体、発泡材及びその組み合わせからなることを特徴とする請求項１７に記載のダイビングフェイスマスク。
【請求項２０】
前記弾性フレーム枠は、高分子材料で製造されたものであることを特徴とする請求項１６に記載のダイビングフェイスマスク。
【請求項２１】
前記高分子材料は、発泡材、ゴム、エチレン酢酸ビニル（Ethylene-vinyl acetate, EVA）及びその組み合わせからなることを特徴とする請求項２０に記載のダイビングフェイスマスク。
【請求項２２】
前記本体上に設置された少なくとも１つのヘッドバンドを具備することを特徴とする請求項１４に記載のダイビングフェイスマスク。
【請求項２３】
本体、少なくとも１つのレンズ、複数の弾性フレーム枠を具備するダイビングフェイスマスクであって、
前記本体は、少なくとも１つのフレームを具備し、
前記少なくとも１つのレンズは、前記少なくとも１つのフレームの中の対応する場所に設けられ、
前記複数の弾性フレーム枠は、各弾性フレーム枠を前記少なくとも１つのレンズの周囲に着脱可能に設置することができる
ことを特徴とするダイビングフェイスマスク。
【請求項２４】
前記本体が２つのフレームを、且つ前記ダイビングフェイスマスクが２つのレンズを具備し、各々のレンズは各々のフレームの中の対応する場所に設けられ、前記各弾性フレーム枠は前記各々のレンズの周囲に一体となって着脱可能に周設することができることを特徴とする請求項２３に記載のダイビングフェイスマスク。
【考案の詳細な説明】
【技術分野】
【０００１】
本考案はダイビングフェイスマスクに関するもの、特に衝撃を吸収することができるダイビングフェイスマスクに関するものである。
【背景技術】
【０００２】
水泳、潜水及びその他の水上活動は、体格とスタミナを鍛錬増強できるだけでなく、さらに心身をリラックスさせることができ、現在非常に人気のあるレジャー活動となっている。水中での活動の際、水中での活動をより快適に便利にできるよう、ダイビングフェイスマスクの使用が必要となっており、外界の水の浸入を絶つことで、眼に快適な環境を提供すると共に活動時間を延長することができる。よって、ダイビングフェイスマスクはすでに不可欠な重要装備の一つとなっているのである。
【０００３】
公知のダイビングフェイスマスクは大きく２種類に分けることができる。図１が示す第一種類のダイビングフェイスマスク１は、本体１１、レンズ１２、硬質メインフレーム１３、硬質サブフレーム１４、ヘッドバンド１５から構成される。その組み立て方法は、硬質メインフレーム１３を本体１１のフレーム１１１上に固定させ、そしてレンズ１２を硬質メインフレーム１３の中に内接させ、並びに硬質サブフレーム１４をレンズ１２と硬質メインフレーム１３の結合部位の周囲に挿着することにより、レンズ１２を固定する。これにより、レンズ１２は本体１１のフレーム１１１内に密着して固定される。この種のダイビングフェイスマスク１はパーツが比較的多いため、組み立て手順において手間取りやすく、且つ硬質メインフレーム１３と硬質サブフレーム１４は、比較的硬い材質であるため、組み立ての難度が高く、うまくいかなかった場合の漏水現象も生じさせる。この他、公知のダイビングフェイスマスク１に脱落または衝突が発生した場合、硬質メインフレーム１３及び硬質サブフレーム１４、特にレンズ１２に破損並びに漏水がおこりやすい。
【０００４】
図２が示す公知のもう一種類のダイビングフェイスマスク２は、本体２１、レンズ２２、ヘッドバンド２３から構成される。レンズ２２は、あらかじめ本体２１製造用のモールド内に取り付けられており、本体２１がモールド形成されると同時にレンズ２２がはめ込まれてダイビングフェイスマスク２が形成され、並びにヘッドバンド２３が付けられる。この種のダイビングフェイスマスク２は、パーツが少なく組み立て手順も簡単であるが、モールド形成により製造されるため、モールドの製作上、スタイルの多様化がし難く且つ変更できないという制限を受け、色彩もまた比較的単調になってしまう。さらに、その構造も充分な保護には欠けており、脱落時においてレンズ２２は破損しやすく漏水の問題を引き起こす。
【０００５】
この他、水中で上述２種類のダイビングフェイスマスクの使用時に、うっかりダイビングフェイスマスクを落としてしまった場合、ダイビングフェイスマスクは水中に沈み易く、又は水流に流されてしまい、ダイビングフェイスマスクの回収を困難にさせている。
【特許文献１】特許第２６６５１６６号明細書
【考案の開示】
【考案が解決しようとする課題】
【０００６】
これらを鑑みて、組み立て易く、破損し難く、スタイルも多様に変化することができ且つ水中からの回収も容易なダイビングフェイスマスクの提供が、この業界が早急に解決すべき問題となっている。
【課題を解決するための手段】
【０００７】
本考案の目的の一つは、ダイビングフェイスマスクの衝撃に対する保護能力を増加させることによって、ダイビングフェイスマスクのパーツが破損し漏水することを防止するダイビングフェイスマスクの提供である。
【０００８】
本考案のもう一つの目的は、水中に落とした際に水面に浮かぶのに適しており、容易に水中から回収することができるダイビングフェイスマスクの提供である。
【０００９】
本考案のさらにもう一つの目的は、フレーム枠が着脱可能で交換でき、本考案のダイビングフェイスマスクとそのセットのスタイルを多様化させ、色彩も鮮やかにして消費者の購買を引きつけるのに適したダイビングフェイスマスクとそのセットの提供である。
【００１０】
上述の目的達成のため、本考案が開示するダイビングフェイスマスクの構造は、本体、少なくとも１つのレンズ、弾性フレーム枠を具備する。まず、前記少なくとも１つのレンズは前記本体の少なくとも１つのフレームに取り付けられ、そして前記弾性フレーム枠は、前記少なくとも１つのレンズと前記本体が接触する周囲に着脱可能に周設され、並びに充填剤を前記弾性フレーム枠の膨張体に注入して、前記弾性フレーム枠を膨張させる。前記弾性フレーム枠の前記膨張体が膨張することにより、前記レンズと前記本体を密着して固定できると共に、前記弾性フレーム枠は非常に小さな密度であり、ダイビングフェイスマスク全体の密度を１g/cm3より小さくさせることができる。これにより、前記膨張可能な弾性フレーム枠は、ダイビングフェイスマスクに良好な衝撃吸収力を持たせて脱落又は衝突により前記少なくとも１つのレンズが破損することを避けることができ、並びにダイビングフェイスマスクが水より小さい密度を有し、浮かぶことができることから、水中からの回収を容易にさせる。この他、本考案のダイビングフェイスマスクとそのセットは、更に様々なカラフルで、風船のような光沢を持つ異なる着脱可能な弾性フレーム枠を提供することができ、ダイビングフェイスマスクの外観に、更に多くの変化をもたらし、異なる消費者のニーズに応え、消費者の購買意欲を増進させることができる。
【００１１】
上述の目的、技術的特徴とメリットをさらに分かり易く明らかにするため、次の文に、より好ましい実施例に図を併せ用いて詳細に説明する。
【考案を実施するための最良の形態】
【００１２】
図３及び図４の如く、本考案のダイビングフェイスマスク３は、本体３１、少なくとも１つのレンズ３２、少なくとも１つの弾性フレーム枠３３を具備し、その中の前記弾性フレーム枠３３は、レンズ３２とフレーム３１１が結合する周囲に周設されている。弾性フレーム枠３３を膨張させることにより、フレーム３１１の周囲部を完全に覆い、これにより良好な抗衝撃力を提供する。
【００１３】
本体３１は、より好ましくはシリコン（silicone）等の軟質材料から製造されているもので、顔の一部を快適に覆い、並びに外部の液体の浸入を防止する空間を形成するのに適している。本実施例において、本体３１は２つのフレーム３１１を具備し、各フレーム３１１の内縁は第１凹部３１３を有し、２つのレンズ３２を配置して嵌合するのに適しており、並びに単独の弾性フレーム枠３３を利用して２つのレンズ３２の周囲に着脱可能に周設することにより、レンズ３２を本体３１に当接して固定させることができる。特に説明しておくが、本考案はダイビングフェイスマスク３の弾性フレーム枠３３及びレンズ３２の数量は限定しておらず、例えばその他の実施態様において、１つの弾性フレーム枠３３を１つのレンズ３２の全面に対応させる、又は個別の２つの弾性フレーム枠をそれぞれ２つのレンズ３２に対応させてフレーム３１１に固定するよう選択でき、その他の形態については、本技術分野において通常の知識を有する者は容易に推知できるため、ここではこれ以上述べない。
【００１４】
レンズ３２は、より好ましくは本体３１を製造するモールドの中に取り付けられ、モールド形成という方法により、本体３１と第１凹部３１３が形成されると同時にレンズ３２が第１凹部３１３に嵌合されることができるもので、よりいっそう防水機能を強化することができる。この技術分野を熟知し通常の知識を有する者は、その他のレンズ３２をフレーム３１１に固定する方法を容易に推知できる。例えば粘着材による粘着、ほぞによる挿着、リベットによる鋲着、留め金による嵌着などで、上述の各種接合方法は全て本考案の主張する権利範囲である。本考案のダイビングフェイスマスク３は更に少なくとも１つのヘッドバンド３４を具備し、本体３１上に取り付けられダイビングフェイスマスク３を頭部に固定する。この他、本体３１は更に使用者の鼻部の形状に合った鼻パッド３１２を具備し、液体の鼻腔内への浸入を防止できる。しかしながら、ダイビングフェイスマスク３は、上述の鼻パッド３１２を具備しないことも可能であり、スイミングゴーグルの応用にも適している。
【００１５】
図５を合わせて参照すると、弾性フレーム枠３３は少なくとも１つの第２凹部３３１を具備し、レンズ３２とフレーム３１１を包み込んで固定するとともに、フレーム３１１の周囲の構造を保護している。本実施例において、弾性フレーム枠３３は、２つのレンズ３２と相対応する２つの第２凹部３３１を具備し、２つのフレーム３１１と着脱可能に固定することができる。本実施例において、本体３１は第３凹部３１４を有し、弾性フレーム枠３３の辺縁が嵌入することにより、弾性フレーム枠３３を本体３１に更にぴったりと緊合させることができる。使用者は更に、自分で組み立て、異なる色や模様、スタイルの弾性フレーム枠３３と交換することができ、本考案のダイビングフェイスマスク３の製品価値をよりいっそう高めている。
【００１６】
ダイビングフェイスマスク３が脱落時に水面に浮くことができ回収に便利となるよう、弾性フレーム枠３３は少なくとも１g/cm3より小さい密度を有し、且つより好ましいのは、0.3乃至0.93 g/cm3で、ダイビングフェイスマスク３の全体の密度を１g/cm3より小さくし水面に浮かぶことができるものである。具体的に言うと、全体密度は潜水しようとする液体密度より小さければよく、そうであれば全て本概念の範囲に属しており、上述の１g/cm3は純水に浮かぶ実施例を説明しただけである。
【００１７】
図５の如く、本考案のダイビングフェイスマスク３の弾性フレーム枠３３でより好ましいのは、空洞構造になっているもので、膨張体３３２を具備し、膨張体３３２は充填剤３３３の注入に適している。充填剤３３３が膨張体３３２の内部空間に注入されることにより膨張体３３２を膨張させ、レンズ３２と本体３１は、更にしっかりと嵌合するとともに、良好な緩衝機能を提供することができる。これにより、ダイビングフェイスマスク３が脱落又は衝突した際に、弾性フレーム枠３３は、有効的にレンズ３２を保護し、レンズ３２が破損して漏水するという状況を避けることができる。同時に、膨張体３３２は充填剤３３３の注入後、風船のような光沢が生まれ、カラフルな色や多様な模様を合わせて、子供や特に大人の購買意欲を増加させることができる。さらに、膨張体３３２は充填剤３３３の注入後、弾性フレーム枠３３とダイビングフェイスマスク３の密度を低下させ、ダイビングフェイスマスク３が水中に落ちた際に水面に浮上することができるようにし、回収に便利となり、水底まで潜らなければ探すのは難しいということはない。
【００１８】
図６の如く、本考案の弾性フレーム枠３３でより好ましいのは、更に弾性フレーム枠３３の膨張体３３２上に充填口３５を具備するものである。充填口３５は、充填孔３５１及び塞体３５２を有し、充填孔３５１を塞いで充填剤３３３が外に漏れることを防止する。充填口３５の設置により、使用者は好きなように自分で空気を吹き込む又は加圧装置により気体を注入するなどの方法で充填剤３３３を注入することができ、且つ充填口３５から充填剤３３３を排出することもできる。上述の充填口３５は、その他の充填口形態にすることもでき、上述の形態だけに限定するわけではない。
【００１９】
上述の弾性フレーム枠３３は、空洞構造ではなく中が詰まった構造にすることもでき、その材料が充分に低い密度で、適度に弾性を有し本考案の衝撃力吸収と水面に浮かぶという目的を達成出来さえすればよい。よって、上述の弾性フレーム枠３３の材料は、発泡材、ゴム、エチレン酢酸ビニル（Ethylene-vinyl acetate, EVA）、又はその他列挙されていない弾性の高分子材料から選ぶことができる。上述の材料はまた適度に変形能力も有しており、膨張体３３２の材料とすることができ、膨張体３３２を充填剤３３３の注入後膨張させることができる。また、上述の充填剤３３３の材料は、膨張体３３２に注入することができる気体、液体、発泡材及びその組み合わせからなるグループから選ぶことができる。
【００２０】
弾性フレーム枠３３は、本体３１に粘着、挿着、鋲着、嵌着、フレーム形成することができ、又はその他の永久に固定する方法で本体３１に固定することができ、上述の第２凹部３３１を利用して本体３１と着脱可能に固定することに限定するわけではない。その色彩がカラフルで、密度が低く且つ弾性を有しさえすれば、本考案のダイビングフェイスマスク３が水面上に浮かぶことができ、ダイビングフェイスマスク３が破損して水が浸入してくるのを防止し、消費者購買を引きつけるという目的を達成することができる。
【００２１】
実際の運用時において、本考案は更に、同じダイビングフェイスマスク３に組み合わせて弾性フレーム枠３３を交換することができるダイビングフェイスマスクセットとして、シリーズになった異なる複数の弾性フレーム枠３３に利用することができる。使用者は自分で好みに合わせて異なる色、模様、スタイルの弾性フレーム枠に交換することができ、外観に対するニーズを満足させることができる。
【００２２】
上述してきたように、公知のダイビングフェイスマスクと比較して、本考案の弾性フレーム枠はダイビングフェイスマスクが衝撃力を吸収するという緩衝機能を提供することができ、並びにダイビングフェイスマスク３が水中で脱落した際に浮かんで回収し易くさせ、着脱が容易で、更には異なる色、模様、スタイルの弾性フレーム枠と交換でき、異なる外観に対してのニーズに応えることができる。
【００２３】
上述の実施例は本考案の実施態様の列挙に用いただけであり、本考案の技術的特徴の詳細な説明は、本考案の保護範疇を制限するものではない。熟練したいかなる技術者が容易に成し得る変更または均等に属する変更も本考案の主張する範囲に属しており、本考案の権利範囲は実用新案登録請求の範囲に準ずる。
【図面の簡単な説明】
【００２４】
【図１】公知のダイビングフェイスマスクの説明図
【図２】別の公知のダイビングフェイスマスクの説明図
【図３】本考案のダイビングフェイスマスクの解体図
【図４】本考案のダイビングフェイスマスクの組立図
【図５】本考案のダイビングフェイスマスクの局部断面図
【図６】本考案の充填口の説明図
【符号の説明】
【００２５】
１      ダイビングフェイスマスク      １１    本体
１１１  フレーム                      １２    レンズ
１３    硬質メインフレーム            １４    硬質サブフレーム
１５    ヘッドバンド                  ２      ダイビングフェイスマスク
２１    本体                          ２２    レンズ
２３    ヘッドバンド                  ３      ダイビングフェイスマスク
３１    本体                          ３１１  フレーム
３１２  鼻パッド                      ３１３  第１凹部
３１４  第３凹部                      ３２    レンズ
３３    弾性フレーム枠                ３３１  第２凹部
３３２  膨張体                        ３３３  充填剤
３４    ヘッドバンド                  ３５    充填口
３５１  充填孔                        ３５２  塞体
【図１】
0003145031.tif 000003
【図２】
0003145031.tif 000004
【図３】
0003145031.tif 000005
【図４】
0003145031.tif 000006
【図５】
0003145031.tif 000007
【図６】
0003145031.tif 000008